(57)【要約】【課題】窓付け換気装置において、換気扇枠体がサッシ窓枠体とは別体であっても、室内の美観が損なわれないようにする。【解決手段】換気装置２０の換気扇ユニット３０の上下及び側部を枠体２１で囲み、かつカバー部材４０で換気扇ユニット３０を室内側から覆う。枠体２１の下枠２３をサッシ窓１０のサッシ上枠１２の上側に重ねる。カバー部材４０の底部を下枠２３とサッシ上枠１２の室内側の継ぎ目１９より下に位置させる。好ましくは、継ぎ目１９に連結部材６０を被せる。【選択図】図３
2014020146.tif 000002
【特許請求の範囲】
【請求項１】
サッシ窓の上側に設けられた、サッシ窓とは別体の窓付け換気装置であって、
換気扇を含む換気扇ユニットと、
上枠及び下枠並びに一対の縦枠を有する枠体と、
前記枠体との間に前記換気扇ユニットの収容室を形成するようにして、前記換気扇ユニットを室内側から覆うカバー部材と、
を備え、前記下枠が、前記サッシ窓におけるサッシ上枠の上側に重ねられ、前記カバー部材の底部が、前記下枠と前記サッシ上枠の室内側の継ぎ目より下に位置していることを特徴とする窓付け換気装置。
【請求項２】
前記下枠を前記サッシ上枠に連結する連結部材を、更に備え、前記連結部材が、前記下枠の室内側の面から前記サッシ上枠の室内側の面に跨ることで、前記継ぎ目に被さっていることを特徴とする請求項１に記載の窓付け換気装置。
【請求項３】
前記収容室が下方に開口され、該開口にフィルタユニットが設けられており、
前記連結部材には、前記フィルタユニットを上下方向に回転可能に支持する軸支部が設けられ、前記カバー部材には、前記フィルタユニットを解放可能に掛止する掛止部が設けられていることを特徴とする請求項２に記載の窓付け換気装置。
【請求項４】
前記軸支部が、前記連結部材における前記継ぎ目に被さる部位よりも下側の部分に配置されていることを特徴とする請求項３に記載の窓付け換気装置。
【発明の詳細な説明】
【技術分野】
【０００１】
本発明は、建物の窓に取り付けられて換気を行なう換気装置に関し、特に既製の窓サッシに付設するのに適した換気装置に関する。
【背景技術】
【０００２】
例えば、特許文献１に記載の窓装置は、サッシ窓の上側に換気装置が配置されている。換気装置は、換気扇と、四角形に組まれた枠体と、室外側及び室内側のパネル（カバー部材）とを有している。枠体とパネルとによって換気扇の収容室が形成されている。換気扇は、室内側のパネルに固定されている。換気装置の上記枠体は、サッシ窓の枠体とは別体になっており、換気装置の枠体の下枠が、サッシ窓の枠体の上枠に嵌合及びネジ止めにて接合されている。この接合部は、換気装置の室内側のパネルよりも下側に位置し、ひいては換気扇収容室よりも下側に位置している。
【先行技術文献】
【特許文献】
【０００３】
【特許文献１】特開２００７−１７０１０７号公報
【発明の概要】
【発明が解決しようとする課題】
【０００４】
上掲特許文献１の窓装置は、換気装置の枠体とサッシ窓の枠体との接合部が室内から見えるために見映えが悪い。また、換気装置の室内側のパネル及び換気扇収容室の全体が、上記接合部よりも上方に在るために、窓装置全体の高さ寸法が大きくなる傾向がある。建物の窓の高さ寸法が一定であると、窓サッシか換気装置の高さ寸法を小さくする必要がある。換気装置の高さ寸法を小さくすると、換気扇の収容スペースが狭くなり、換気扇を小さくせざるを得ない。
【課題を解決するための手段】
【０００５】
上記問題点を解決するために、本発明は、サッシ窓の上側に設けられた、サッシ窓とは別体の窓付け換気装置であって、
換気扇を含む換気扇ユニットと、
上枠及び下枠並びに一対の縦枠を有する枠体と、
前記枠体との間に前記換気扇ユニットの収容室を形成するようにして、前記換気扇ユニットを室内側から覆うカバー部材と、
を備え、前記下枠が、前記サッシ窓におけるサッシ上枠の上側に重ねられ、前記カバー部材の底部が、前記下枠と前記サッシ上枠の室内側の継ぎ目より下に位置していることを特徴とする。
この特徴構成によれば、換気扇を室内側から覆うカバー部材によって換気扇枠体とサッシ窓の枠体の継ぎ目をも室内側から覆うことができる。したがって、換気扇枠体がサッシ窓枠体とは別体であっても、それらの継ぎ目が室内に露出しないようにでき、室内の美観が損なわれるのを回避できる。また、カバー部材及び収容室の下側部分が、換気扇枠体及びサッシ窓枠体どうしの接合部（前記継ぎ目を含むその周辺部分）と高さ方向に重複するため、窓装置全体の高さ寸法の増大を抑えることができる。或いは、前記収容室を広くでき、換気扇を十分に収容できる。
【０００６】
前記下枠を前記サッシ上枠に連結する連結部材を、更に備え、前記連結部材が、前記下枠の室内側の面から前記サッシ上枠の室内側の面に跨ることで、前記継ぎ目に被さっていることが好ましい。
連結部材によって、換気扇枠体の下枠とサッシ上枠とをしっかりと連結できる。加えて、前記連結部材によって前記継ぎ目を隠すことができるとともに、前記カバー部材によって前記連結部材を室内側から覆うことができる。したがって、継ぎ目及び連結部材によって室内の美観が損なわれるのを回避できる。カバー部材及び収容室の下側部分が、前記連結部材と高さ方向に重複するため、窓装置全体の高さ寸法の増大を抑えることができ、或いは、前記収容室を広くできる。
前記連結部材の全体が前記カバー部材及び収容室の下側部分と高さ方向に重複していてもよく、前記連結部材の上下方向の中間より上側の部分だけが前記カバー部材及び収容室の下側部分と高さ方向に重複していてもよい。
前記連結部材は、前記下枠の長手方向の一端部の近くから他端部の近くまで延びていることが好ましく、又は前記下枠の長手方向のほぼ全長にわたって延びていることが好ましい。これによって、連結部材が前記継ぎ目の大部分を覆うようにできる。
【０００７】
前記収容室が下方に開口され、該開口にフィルタユニットが設けられており、前記連結部材には、前記フィルタユニットを上下方向に回転可能に支持する軸支部が設けられ、前記カバー部材には、前記フィルタユニットを解放可能に掛止する掛止部が設けられていることが好ましい。
この構成によれば、前記フィルタユニットを目立たないようにできる。そして、メンテナンスの際は、フィルタユニットの掛止を解除すると、フィルタユニットを軸支部を中心にして下方へ回転させることができる。これによって、フィルタを簡単に取り外したり、交換したりすることができる。また、前記収容室を簡単に開放でき、前記収容室及び換気扇の掃除、点検等を簡単に行うことができる。さらに、枠どうしを連結する連結部材にフィルタユニットのための軸支部を一体に設けることで、部品点数及び組立工数を削減できる。
【０００８】
前記軸支部が、前記連結部材における前記継ぎ目に被さる部位よりも下側の部分に配置されていることが好ましい。
これによって、前記連結部材の前記継ぎ目に被さる部位を前記カバー部材及びフィルタユニットにて確実に覆い隠すことができる。
【発明の効果】
【０００９】
本発明によれば、換気扇枠体がサッシ窓枠体とは別体であっても、それらの継ぎ目が室内に露出しないようにでき、室内の美観が損なわれるのを回避できる。また、換気扇収容室を広くできる。或いは、窓装置全体の高さ寸法の増大を抑えることができる。
【図面の簡単な説明】
【００１０】
【図１】図１は、本発明の第１実施形態を示し、サッシ窓装置を室外から見た背面図である。
【図２】図２は、上記サッシ窓装置の換気装置を室内から見た正面図である。
【図３】図３は、図２のＩＩＩ−ＩＩＩ線に沿う、上記換気装置の断面図である。
【図４】図４は、上記サッシ装置の分解斜視図である。
【図５】図５は、上記換気装置のフィルタユニットをメンテナンスする状態を示す断面図である。
【発明を実施するための形態】
【００１１】
以下、本発明の一実施形態を図面にしたがって説明する。
図１は、換気機能付きサッシ窓装置１を示したものである。図１及び図３に示すように、サッシ窓装置１は、建物の外壁２に設置されている。壁２には窓開口２ａが形成されている。この窓開口２ａにサッシ窓装置１が嵌め込まれている。
【００１２】
換気機能付きサッシ窓装置１は、既製のサッシ窓１０と、窓付け換気装置２０とを備えている。サッシ窓１０は、サッシ枠体１１と、ガラス障子１５とを有している。サッシ枠体１１は、サッシ上枠１２と、サッシ下枠１３と、左右一対のサッシ縦枠１４，１４とを有している。枠１２〜１４は、それぞれアルミ型材にて構成されている。これら枠１２〜１４が四角形に組まれてガラス障子１５の外周を囲んでいる。
【００１３】
図１及び図２に示すように、サッシ窓１０の上側には、図２において紙面手前側の室内３の雰囲気（空気）を強制換気する換気装置２０が設けられている。換気装置２０は、サッシ窓１０とは別体かつ分離可能になっており、既製のサッシ窓１０に付加される。図３及び図４に示すように、換気装置２０は、サッシ枠体１１とは別体の換気扇枠体２１と、換気扇ユニット３０と、カバー部材４０を備えている。換気扇枠体２１は、換気扇上枠２２と、換気扇下枠２３と、左右一対の換気扇縦枠２４，２４とを有している。枠２２〜２４は、それぞれアルミ型材にて構成されている。図１及び図２に示すように、これら枠２２〜２４が四角形に組まれ、換気扇ユニット３０の上下及び側部を囲んでいる。
【００１４】
下枠２３は、サッシ上枠１２とは別体（別部材）であり、サッシ上枠１２の上方に平行に重ねられて接合されている。図３に示すように、下枠２３の底部には、Ｌ字状の断面の係止爪部２３ｆが一体に設けられている。サッシ上枠１２の上側部には、室外側（図３において左）に突出する凸片部１２ｆが設けられている。この凸片部１２ｆに係止爪部２３ｆが引っ掛けられている。換気扇下枠２３とサッシ上枠１２との間には、防水用のシール部材１８が挟まれている。換気扇下枠２３の室内側の面とサッシ上枠１２の室内側の面との間には、継ぎ目１９が形成されている。継ぎ目１９は、枠２３，１２の長手方向（左右方向、図３の紙面と直交する方向）に延びている。
なお、この実施形態では、サッシ上枠１２が換気扇下枠２３よりも室内側（図３において右）に突出して、継ぎ目１９が段差になっているが、これら枠１２，２３の室内側の面が面一であってもよく、換気扇下枠２３がサッシ上枠１２よりも室内側に突出していてもよい。
【００１５】
図３及び図４に示すように、換気扇下枠２３とサッシ上枠１２との接合部分の室内側には、連結部材６０が設けられている。連結部材６０は、基部６１と、枠連結部６２を有し、枠２３，１２の長手方向（左右方向、図３の紙面と直交する方向）のほぼ全長にわたって延びている。基部６１は、概略コ字状の断面になっており、サッシ上枠１２の室内側（図３において右）の面に添うように配置されている。基部６１の下面は、サッシ上枠１２の下面とほぼ面一になっている。基部６１の下側に被覆部材６５が設けられている。被覆部材６５は、樹脂にて構成され、連結部材６０とほぼ同程度の長さだけ左右（図３の紙面直交方向）に延びている。この被覆部材６５が、基部６１にネジ止めされるとともに、サッシ上枠１２に嵌め合わされている。
【００１６】
枠連結部６２は、基部６１から上方に突出し、かつ左右に延びる板状になっている。枠連結部６２の上下方向の中間部は、枠２３，１２の室内側の面どうし間の段差に対応するように折り曲げられている。この枠連結部６２が、換気扇下枠２３の室内側の面からサッシ上枠１２の室内側の面に跨るようにして、これら枠２３，１２に宛がわれている。したがって、枠連結部６２は、継ぎ目１９の延び方向（図３の紙面直交方向）のほぼ全体に被さっている。更に、連結ネジ６４，６４によって、枠連結部６２が換気扇下枠２３及びサッシ上枠１２に連結されて固定されている。これによって、連結部材６０を介して、換気扇下枠２３とサッシ上枠１２とが連結され、ひいては換気装置２０とサッシ窓１０とが連結されている。
【００１７】
図１に示すように、換気扇縦枠２４は、サッシ縦枠１４とは別体（別部材）であり、鉛直に向けられて、サッシ縦枠１４の上方に一直線に接合されている。図４に示すように、これら縦枠２４，１４どうしの間に縦枠連結部材７０が設けられている。縦枠連結部材７０は、換気扇縦枠２４の側面とサッシ縦枠１４の側面とに跨るように配置され、ネジ７３，７３…にて各縦枠２４，１４に連結されている。
【００１８】
図３に示すように、更に、換気装置２０の枠材２１は、支持枠２５と、室外側パネル２６を備えている。図３及び図４に示すように、支持枠２５は、短手方向を上下に向け、かつ長手方向を左右（図３の紙面直交方向）に向けた矩形状のアルミ型材にて構成されている。支持枠２５の外周が４つの枠２２〜２４にて囲まれている。支持枠２５の中央部には連通口２５ａが形成されている。図１及び図３に示すように、室外側パネル２６は、Ｌ字状の断面のアルミ型材にて構成され、支持枠２５を屋外側（図３において左）から覆うように配置されている。図３に示すように、室外側パネル２６と支持枠２５との間に通気室２０ａが形成されている。室外側パネル２６の上端部が、換気扇上枠２２の屋外側の縁に連結されている。室外側パネル２６の底部（下端部）は、下枠２４よりも上方に少し離れて位置している。この室外側パネル２６の底部が、支持枠２５の連通口２５ａよりも下側の部分に連結されている。室外側パネル２６の底部には、室外通気口２６ｂが形成されている。
【００１９】
図３に示すように、支持枠２５の室内側部（図３において右）に換気扇ユニット３０が設けられている。換気扇ユニット３０は、モータ等の駆動部付きの換気扇３１と、送出部３２を有している。換気扇３１の底部に吸込み口が設けられている。換気扇３１の屋外側部には、送出口を有する送出部３２が設けられている。送出口が連通口２５ａに連なり、かつ送出部３２が支持枠２５に接合されている。これによって、換気扇ユニット３０が、枠体２１に支持されている。
【００２０】
図３及び図４に示すように、換気ユニット３０の室内側（図３において右）には、カバー部材４０が設けられている。カバー部材４０は、室内側パネル４１と、左右一対の端板４２，４２を有している。パネル４１は、上板部４５と垂直壁４６とを有するアルミ型材にて構成されている。上板部４５の室内側（図３において右）の部分が下方に湾曲して、垂直壁４６の上端部に滑らかに連続している。上板部４５の屋外側（図３において左）の端部に樹脂製の引掛部材４３が取り付けられている。引掛部材４３が、換気扇上枠２２の吊支持部２２ｄに引っ掛けられている。これによって、カバー部材４０が、吊支持部２２ｄから吊り下げられるようにして、換気扇枠体２１に支持されている。室内側パネル４１と支持枠２５との間、ひいてはカバー部材４０と枠体２１との間に換気扇収容室２０ｂが形成されている。この収容室２０ｂに上記換気扇ユニット３０が収容されている。カバー部材４０は、換気扇ユニット３０を室内側から覆っている。一対の端板４２，４２は、樹脂にて構成されており、室内側パネル４１と直交するように向けられ、室内側パネル４１の左右の端部に固定されている。これら端板４２，４２によって、収容室２０ｂの左右の端部が塞がれている。カバー部材４０の屋外側の縁部（上板部４５及び端板４２の屋外側の縁部）は、枠材２１に近接又は当接している。カバー部材４０の垂直壁４６からなる室内側部は、枠材２１及びサッシ窓１０よりも室内側（図３において右）に突出して配置されている。
【００２１】
カバー部材４０の底部（垂直壁４６及び端板４２の下端部）は、継ぎ目１９より下に位置している。詳細には、カバー部材４０の底部は、連結部材６０における枠連結部６２と基部６１との境とほぼ同じ高さに位置している。したがって、枠連結部６２の全体が、カバー部材４０によって室内側から覆われている。
【００２２】
図３及び図４に示すように、カバー部材４０の底部（下端部）ひいては収容室２０ｂの底部は開口され、該開口にフィルタユニット５０が設けられている。図３及び図４に示すように、フィルタユニット５０は、フィルタ設置板５１と、左右一対の端枠５２，５２を有している。フィルタ設置板５１には、多数の室内通気口５１ａが形成されている。フィルタ設置板５１の室外側及び室内側の両端部には、それぞれ凸縁部５３が一体に設けられている。凸縁部５３は、逆さＬ字状の断面を有して、フィルタ設置板５１から上に突出し、かつ左右（図３の紙面と直交する方向）に延びている。フィルタ設置板５１の左右の端部には、それぞれ端枠５２が取り付けられている。端枠５２は、樹脂にて構成され、フィルタ設置板５１の左右の端部に沿って延びるとともに、フィルタ設置板５１よりも上に突出している。
【００２３】
フィルタ設置板５１の上面に面状ないしはシート状のフィルタ５９が載置されている。フィルタ５９の室外側及び室内側の縁が凸縁部５３，５３に宛がわれている。フィルタ５９の左右の縁が端枠５２，５２に宛がわれている。
【００２４】
フィルタユニット５０は、次のようにして窓装置１に取り付けられている。
図３に示すように、フィルタ設置板５１の室外側（図３において左）の端部には回転軸５８が一体に設けられている。回転軸５８は、円形の断面を有して左右（図３の紙面直交方向）に延びている。連結部材６０の基部６１には軸支部６３が一体に設けられている。軸支部６３は、連結部材６０における継ぎ目１９に被さる部位よりも下側に配置され、Ｃ字状の断面を有して左右（水平方向）に延びている。軸支部６３に回転軸５８が自らの軸線のまわりに回転可能に嵌め込まれている。これによって、軸支部６３が、フィルタユニット５０を上下に回転可能に支持している。言い換えると、フィルタユニット５０の室外側の端部が、連結部材６０を介して枠材１０，２０に回転可能に支持されている。
【００２５】
図３に示すように、端枠５２の室内側（図３において右）の端部には、連接部５４を介して係止レバー５５が設けられている。連接部５４及び係止レバー５５は、端枠５２と同体になっている。連接部５４は、下向きの半円弧状になっており、端枠５２から室内方向（図３において右）に突出している。連接部５４の突出端に係止レバー５５の中央部が連なっている。係止レバー５５は、係止爪５６と、レバー部５７とを一体に有し、全体として端枠５２の延び方向と直交する板状になっている。係止爪５６は、連接部５４から上方に突出している。レバー部５７は、連接部５４から下方に突出している。
【００２６】
図２及び図３に示すように、カバー部材４０には掛止部材４４（掛止部）が設けられている。掛止部材４４は、左右（図３の紙面と直交する方向）に延びる棒状かつ異形断面のアルミ型材にて構成されている。この掛止部材４４が、収容室２０ｂ内の底部かつ垂直壁４６の近くに配置されている。掛止部材４４の延び方向の両端部が、端板４２にネジ止めにて支持されている。さらに、垂直壁４６の下端部付近の内面には、リブ４７が設けられている。リブ４７は、左右に延びるとともに、垂直壁４６から屋外方向（図３において左）へ突出して掛止部材４４の側部に当たっている。リブ４７の延び方向の両端付近には挿通孔４７ａ，４７ａが設けられている。そして、上記係止爪５６が、掛止部材４４と垂直壁４６との間に差し入れられて挿通孔４７ａに通されるとともに、掛止部材４４の上端部に解除可能に掛止されている。言い換えると、掛止部材４４（掛止部）が、フィルタユニット５０を解放可能に掛止している。これによって、フィルタユニット５０が、カバー部材４０の底部にほぼ水平に取り付けられている。
なお、この実施形態では、フィルタユニット５０は、室内方向（図３において右）に向かうにしたがって少し上に傾いて配置されている。
【００２７】
上記のように構成された換気機能付きサッシ窓装置１の動作を説明する。
換気扇３１を駆動すると、室内３の空気が、室内通気口５１ａを通り、フィルタ５９で塵埃を除去されたうえで、収容室２０ｂに入り、換気扇３１に吸い込まれる。この空気が、送出部３２から通気室２０ａに吐き出され、室外通気口２６ｂを通って屋外（室外）に送出される。これに伴ない、外気が、建物の別の開口部から室内３に入り込む。これによって、室内３の雰囲気を換気できる。
【００２８】
フィルタ５９を洗浄したり交換したりする際は、レバー部５７を屋外方向（図３において左）に押す。すると、連接部５４が弾性変形して、係止レバー５５の全体が連接部５４を中心に少し回転する。これによって、係止爪５６が垂直壁４６の側へ傾いて掛止部材４４から外れ、掛止状態を解除できる。したがって、フィルタユニット５０のレバー部５７側の端部がフリーになり、回転軸５８を中心にしてフィルタユニット５０を下方へ回転させることができる。これによって、図５に示すように、フィルタユニット５０を、回転軸５８から下方に垂れるか又は下方に傾いた姿勢にでき、設置板５１上のフィルタ５９を室内３に露出させることができる。したがって、フィルタ５９を簡単に外したり、付け替えたりすることができる。
更に、換気扇３１をメンテナンスする際は、引掛部材４３と吊支持部２２ｄとの係合を解除し、カバー部材４０を室内方向（図３において右）に引いて外す。カバー部材４０には換気扇ユニット３０が固定されていないから、カバー部材４０の撤去作業を簡単に行なうことができる。カバー部材４０の撤去によって、換気扇３１が室内３に露出する。これによって、換気扇３１を簡単に洗浄したり点検したりすることができる。
【００２９】
上記構成の換気機能付きサッシ窓装置１においては、継ぎ目１９に連結部材６０が被さり、かつ連結部材６０の枠連結部６２がカバー部材４０によって室内側から覆われている。したがって、継ぎ目１９はもちろんのこと、枠連結部６２についても室内３に露出しないようにでき、サッシ窓装置１の美観を確保できる。
連結部材６０が枠１２，２３のほぼ全長にわたって延びていることで、継ぎ目１９の大部分を覆うようにできる。
また、軸支部６３を枠連結部６２（継ぎ目１９に被さる部位）の下側に設けたことで、フィルタユニット５０を枠連結部６２より下側に配置でき、枠連結部６２をフィルタユニット５０にて下側からも覆い隠すことができる。
さらに、室内通気口５１ａが下向きになっているために目立たず、美観を一層向上できる。
【００３０】
また、カバー部材４０及び収容室２０ｂの下側部分（底部分）が、枠連結部６２つまりは枠２３，１２どうしの接合部（継ぎ目１９を含むその周辺部分）と高さ方向に重複する分だけ、収容室２０ｂを広くでき、換気扇３１を充分に収容できる。或いは、窓装置１全体の高さ寸法の増大を抑えることができる。
さらに、枠１２，２３どうしを繋ぐ枠連結部６２と、フィルタユニット５０を支持する軸支部６３とを一体に構成することで、部品点数及び組立工数を削減できる。
【００３１】
本発明は、上記実施形態に限られず、その趣旨を逸脱しない範囲内で種々の改変をなすことができる。
例えば、カバー部材４０の下端部（底部）が、軸支部６３より下側に位置していてもよく、さらには基部６１より下側に位置していてもよい。
継ぎ目１９の延び方向の必ずしも全体に枠連結部６２が被さっている必要はなく、継ぎ目１９の一部には枠連結部６２が被さっていなくてもよい。或いは、枠連結部６２を省いてもよい。その場合でも、カバー部材４０によって継ぎ目１９を覆って室内から見えないようにすることができる。
枠連結部６２と軸支部６３とが別部材になっていてもよい。
フィルタユニット５０のメンテナンスを容易化する観点からは、フィルタユニット５０が回転式構造になっていればよく、カバー部材４０の底部が継ぎ目１９より下に位置していなくてもよく、枠連結部６２がカバー部材４０で覆われていなくてもよく、更に枠連結部６２を省いてもよい。また、サッシ窓１０の枠１２，１４と換気装置２０の枠２３，２４とが別体になっていなくてもよい。フィルタユニット５０の左右の端部をカバー部材４０に解放可能に掛止することにしてもよい。
【産業上の利用可能性】
【００３２】
本発明は、例えば家屋のサッシ窓に付けられる換気装置に適用できる。
【符号の説明】
【００３３】
１      換気機能付きサッシ窓装置
１０    サッシ窓
１１    サッシ枠体
１２    サッシ上枠
１９    継ぎ目
２０    窓付け換気装置
２０ｂ  収容室
２１    換気扇枠体（枠体）
２２    換気扇上枠（上枠）
２３    換気扇下枠（下枠）
２４    換気扇縦枠（縦枠）
２５    支持枠
２６    室外側パネル
３０    換気扇ユニット
３１    換気扇
４０    カバー部材
４１    室内側パネル
４４    掛止部材（掛止部）
５０    フィルタユニット
５６    係止爪
５８    回転軸
５９    フィルタ
６０    連結部材
６２    枠連結部
６３    軸支部
【図１】
2014020146.tif 000003
【図２】
2014020146.tif 000004
【図３】
2014020146.tif 000005
【図４】
2014020146.tif 000006
【図５】
2014020146.tif 000007